(57)【要約】【課題】画像内における人物の有無や人物の表情などの人物の詳細情報を比較的簡単に確認できる画像表示処理装置、電子カメラ及びプログラムを提供する。【解決手段】サムネイル画像ＴＩに対して顔検出処理を行って顔が検出されると、その検出された顔に対して笑顔検出処理が行われる。サムネイル画像ＴＩの下側には、笑顔がある旨の笑顔アイコン４２及びの笑顔の人数と、笑顔でない顔がある旨の顔アイコン４１（普通顔アイコン）及び笑顔でない人数とが表示される（図６（ａ））。笑顔アイコン４２をクリックすると、笑顔が拡大された拡大画像４４がサムネイル表示エリアＴＡに表示され（図６（ｂ））、顔アイコン４１をクリックすると、笑顔でない顔が拡大された拡大画像４５がサムネイル表示エリアＴＡに表示される（図６（ｃ））。【選択図】図６
2011211621.tif 000002
【特許請求の範囲】
【請求項１】
画像を取得して当該取得した画像を表示手段に表示させる表示制御手段と、
前記画像における人物の顔の有無と笑顔の有無とのうち少なくとも一方を判定する判定手段と、を備え、
前記表示制御手段は、前記判定手段が前記顔と笑顔とのうち判定対象である少なくとも一方があると判定すると、前記顔がある旨と前記笑顔がある旨とのうち該判定の結果の少なくとも一方を前記画像と対応付けて前記表示手段に表示させることを特徴とする画像表示処理装置。
【請求項２】
本画像と該本画像よりも低解像度のサムネイル画像とを含む画像ファイルから前記サムネイル画像を読出して表示手段に表示させる表示制御手段と、
前記サムネイル画像における人物の顔の有無と笑顔の有無とのうち少なくとも一方を判定する判定手段と、を備え、
前記表示制御手段は、前記判定手段が前記顔と笑顔とのうち判定対象である少なくとも一方があると判定すると、前記顔がある旨と前記笑顔がある旨とのうち該判定の結果の少なくとも一方を前記サムネイル画像と対応付けて前記表示手段に表示させることを特徴とする画像表示処理装置。
【請求項３】
前記判定手段は、前記本画像又は前記サムネイル画像に対して人物の顔を検出する顔検出処理を行う顔検出手段を備え、
前記表示制御手段は、前記顔検出手段が顔を検出すると、前記顔がある旨を表示させることを特徴とする請求項２に記載の画像表示処理装置。
【請求項４】
前記判定手段は、前記顔検出手段が検出した人物の顔のうち笑顔を検出する笑顔検出手段を備え、
前記表示制御手段は、前記笑顔検出手段が笑顔を検出すると、前記顔がある旨とともに、前記笑顔がある旨も前記サムネイル画像と対応付けて前記表示手段に表示させることを特徴とする請求項３に記載の画像表示処理装置。
【請求項５】
前記表示制御手段は前記旨をアイコンで表示し、
操作手段により前記アイコンが操作されると、サムネイル画像中における人物の顔を拡大表示させる拡大表示手段を更に備えたことを特徴とする請求項２乃至４のうちいずれか一項に記載の画像表示処理装置。
【請求項６】
操作手段により、前記表示手段に表示された前記サムネイル画像中の人物を指定する人物指定操作が行われると、当該人物指定操作で指定された前記人物の顔を拡大表示する拡大表示手段を更に備えたことを特徴とする請求項２乃至４のうちいずれか一項に記載の画像表示処理装置。
【請求項７】
前記表示制御手段は、前記判定手段が人物の顔があると判定した場合、当該人物の人数を計数して当該計数した人数を前記サムネイル画像に対応付けて前記表示手段に表示させることを特徴とする請求項２乃至６のうちいずれか一項に記載の画像表示処理装置。
【請求項８】
前記顔検出手段が検出した顔のうち前記笑顔検出手段が検出した笑顔の人数と、前記笑顔検出手段が検出しなかった笑顔以外の表情の顔の人数とをそれぞれ計数する計数手段を更に備え、
前記表示制御手段は、前記笑顔の人数と前記笑顔以外の表情の顔の人数とをそれぞれ前記サムネイル画像と対応付けて前記表示手段に表示させることを特徴とする請求項４乃至６のうちいずれか一項に記載の画像表示処理装置。
【請求項９】
前記顔検出手段が検出した顔が前記サムネイル画像に占める顔サイズ割合が設定値以下であるか否かを判定する顔サイズ判定手段を更に備え、
前記表示制御手段は、前記判定手段が前記顔と前記笑顔とのうち判定対象である少なくとも一方をあると判定した場合、更に前記顔サイズ割合が設定値以下であることを条件として、前記顔がある旨と前記笑顔がある旨とのうち少なくとも一方を表示させることを特徴とする請求項３乃至８のうちいずれか一項に記載の画像表示処理装置。
【請求項１０】
前記判定手段は、前記サムネイル画像から人物、顔及び笑顔のうち判定対象となる少なくとも１つの判定ができない場合は、前記サムネイル画像に対応する本画像からの判定に切り替える請求項２乃至９のうちいずれか一項に記載の画像表示処理装置。
【請求項１１】
被写体を撮影する撮像手段と、
前記撮像手段による撮影で取得された画像の本画像とサムネイル画像とを含む画像ファイルを記憶するメモリと、
前記サムネイル画像及び本画像を表示可能な表示手段と、
請求項２乃至１０のうちいずれか一項に記載の前記画像表示処理装置と、
を備えたことを特徴とする電子カメラ。
【請求項１２】
本画像と該本画像よりも低解像度のサムネイル画像とを含む画像ファイルを記憶するメモリからサムネイル画像を読み出して表示手段に表示させる画像表示処理をコンピュータに実行させるためのプログラムであって、
コンピュータに、前記画像ファイル中のデータに基づき前記サムネイル画像における人物の顔の有無と笑顔の有無とのうち少なくとも一方を判定する判定ステップと、
前記判定ステップで前記顔と笑顔とのうち判定対象である少なくとも一方があると判定すると、前記顔がある旨と前記笑顔がある旨とのうち該判定の結果の少なくとも一方を前記サムネイル画像と対応付けて前記表示手段に表示させる表示制御ステップと、
を実行させるためのプログラム。
【発明の詳細な説明】
【技術分野】
【０００１】
本発明は、サムネイル画像などの縮小画像を画面に表示する画像表示処理を行う画像表示処理装置、電子カメラ及び画像表示処理用のプログラムに関する。
【背景技術】
【０００２】
近年、デジタルカメラやビデオカメラなどの撮影機器で撮影した画像を、その撮影機器の表示手段、あるいはその撮影機器からパーソナルコンピュータへ取り込んでそのモニタにサムネイル画像などの縮小画像を表示させる画像表示処理が行われるようになっている。
【０００３】
例えば特許文献１には、サムネイル画像が表示される表示処理装置が開示されている。特許文献１には、サムネイル画像再生モードにおいて、人物の顔を検出して顔の大きさを評価し、比較的小さな顔を含む表示対象画像の表示サイズを、他の表示対象画像のそれよりも大きく表示する、あるいは顔を含む一部画像の拡大画像を表示する画像再生装置（画像表示処理装置）が開示されている。
【先行技術文献】
【特許文献】
【０００４】
【特許文献１】特開２００８−１０９５５３号公報
【発明の概要】
【発明が解決しようとする課題】
【０００５】
ところで、特許文献１では、サムネイル画像が表示されるが、サムネイル画像は縮小画像なので、人物が写っているのか、人物が笑顔であるのかが分かりにくいという問題があった。そのため、人物の有無や人物が笑顔かどうかその表情を確認するために、いちいち本画像を開いて確認する必要があるという問題があった。特許文献１では、表示対象画像が大きく表示されたり、顔を含む一部画像の拡大画像が表示されるが、小さな顔が検出された場合には、画像の拡大率を変更するなどの複雑な画像処理が必要になり、サムネイル画像の一覧表示に時間がかかるという問題がある。
【０００６】
本発明は上記問題点に鑑みてなされたものであって、その目的は、画像内における人物の有無や人物の表情などの人物の詳細情報を比較的簡単に確認できる画像表示処理装置、電子カメラ及び画像表示処理用のプログラムを提供することにある。
【課題を解決するための手段】
【０００７】
上記問題点を解決するために、本発明は、画像表示処理装置であって、画像を取得して当該取得した画像を表示手段に表示させる表示制御手段と、前記画像における人物の顔の有無と笑顔の有無とのうち少なくとも一方を判定する判定手段と、を備え、前記表示制御手段は、前記判定手段が前記顔と笑顔とのうち判定対象である少なくとも一方があると判定すると、前記顔がある旨と前記笑顔がある旨とのうち該判定の結果の少なくとも一方を前記画像と対応付けて前記表示手段に表示させることを要旨とする。
【０００８】
上記問題点を解決するために、本発明は、画像表示処理装置であって、本画像と該本画像よりも低解像度のサムネイル画像とを含む画像ファイルから前記サムネイル画像を読出して表示手段に表示させる表示制御手段と、前記サムネイル画像における人物の顔の有無と笑顔の有無とのうち少なくとも一方を判定する判定手段と、を備え、前記表示制御手段は、前記判定手段が前記顔と笑顔とのうち判定対象である少なくとも一方があると判定すると、前記顔がある旨と前記笑顔がある旨とのうち該判定の結果の少なくとも一方を前記サムネイル画像と対応付けて前記表示手段に表示させることを要旨とする。
【０００９】
本発明の画像表示処理装置では、前記判定手段は、前記本画像又は前記サムネイル画像に対して人物の顔を検出する顔検出処理を行う顔検出手段を備え、前記表示制御手段は、前記顔検出手段が顔を検出すると、前記顔がある旨を表示させることが好ましい。
【００１０】
本発明の画像表示処理装置では、前記判定手段は、前記顔検出手段が検出した人物の顔のうち笑顔を検出する笑顔検出手段を備え、前記表示制御手段は、前記笑顔検出手段が笑顔を検出すると、前記顔がある旨とともに、前記笑顔がある旨も前記サムネイル画像と対応付けて前記表示手段に表示させることが好ましい。
【００１１】
本発明の画像表示処理装置では、前記表示制御手段は前記旨をアイコンで表示し、操作手段により前記アイコンが操作されると、サムネイル画像中における人物の顔を拡大表示させる拡大表示手段を更に備えていることが好ましい。
【００１２】
本発明の画像表示処理装置では、操作手段により、前記表示手段に表示された前記サムネイル画像中の人物を指定する人物指定操作が行われると、当該人物指定操作で指定された前記人物の顔を拡大表示する拡大表示手段を更に備えていることが望ましい。
【００１３】
本発明の画像表示処理装置では、前記表示制御手段は、前記判定手段が人物の顔があると判定した場合、当該人物の人数を計数して当該計数した人数を前記サムネイル画像に対応付けて前記表示手段に表示させることが好ましい。
【００１４】
本発明の画像表示処理装置では、前記顔検出手段が検出した顔のうち前記笑顔検出手段が検出した笑顔の人数と、前記笑顔検出手段が検出しなかった笑顔以外の表情の顔の人数とをそれぞれ計数する計数手段を更に備え、前記表示制御手段は、前記笑顔の人数と前記笑顔以外の表情の顔の人数とをそれぞれ前記サムネイル画像と対応付けて前記表示手段に表示させることが望ましい。
【００１５】
本発明の画像表示処理装置では、前記顔検出手段が検出した顔が前記サムネイル画像に占める顔サイズ割合が設定値以下であるか否かを判定する顔サイズ判定手段を更に備え、前記表示制御手段は、前記判定手段が前記顔と前記笑顔とのうち判定対象である少なくとも一方をあると判定した場合、更に前記顔サイズ割合が設定値以下であることを条件として、前記顔がある旨と前記笑顔がある旨とのうち少なくとも一方を表示させることが好ましい。
【００１６】
本発明の画像表示処理装置では、前記判定手段は、前記サムネイル画像から人物、顔及び笑顔のうち判定対象となる少なくとも１つの判定ができない場合は、前記サムネイル画像に対応する本画像からの判定に切り替えることが好ましい。
【００１７】
本発明は電子カメラであって、被写体を撮影する撮像手段と、前記撮像手段による撮影で取得された画像の本画像とサムネイル画像とを含む画像ファイルを記憶するメモリと、前記サムネイル画像及び本画像を表示可能な表示手段と、上記発明の前記画像表示処理装置と、を備えたことを要旨とする。
【００１８】
本発明は、本画像と該本画像よりも低解像度のサムネイル画像とを含む画像ファイルを記憶するメモリからサムネイル画像を読み出して表示手段に表示させる画像表示処理をコンピュータに実行させるためのプログラムであって、コンピュータに、前記画像ファイル中のデータに基づき前記サムネイル画像における人物の顔の有無と笑顔の有無とのうち少なくとも一方を判定する判定ステップと、前記判定ステップで前記顔と笑顔とのうち判定対象である少なくとも一方があると判定すると、前記顔がある旨と前記笑顔がある旨とのうち該判定の結果の少なくとも一方を前記サムネイル画像と対応付けて前記表示手段に表示させる表示制御ステップと、を実行させるためのプログラムであることを要旨とする。
【発明の効果】
【００１９】
本発明によれば、画像内における人物の有無や人物の表情などの人物の詳細情報を比較的簡単に確認できる、という優れた効果が得られる。
【図面の簡単な説明】
【００２０】
【図１】第１実施形態における画像表示処理システムを示す斜視図。
【図２】画像ファイルのデータ構造を示す模式図。
【図３】画像選択画面を示す模式図。
【図４】画像表示処理装置の電気的な機能構成を示すブロック図。
【図５】サムネイル画像とアイコンを示す部分画面図。
【図６】（ａ）顔アイコン付きのサムネイル画像の模式図、（ｂ），（ｃ）アイコンクリック時の画像表示結果を示す模式図。
【図７】サムネイル画像表示処理ルーチンを示すフローチャート。
【図８】アイコンクリック時の画像表示制御ルーチンを示すフローチャート。
【図９】第２実施形態において（ａ）人アイコン付きのサムネイル画像を示す模式図、（ｂ）〜（ｅ）人物マウスオーバー時にポップアップされる拡大画像の模式図。
【図１０】サムネイル画像表示処理ルーチンを示すフローチャート。
【図１１】人物マウスオーバー時の画像表示制御ルーチンを示すフローチャート。
【図１２】アイコンクリック時の画像表示制御ルーチンを示すフローチャート。
【図１３】（ａ）サムネイル画像と人アイコンを示す部分画面図、（ｂ）人アイコンクリック時の画像表示結果を示す模式図。
【発明を実施するための形態】
【００２１】
（第１実施形態）
以下、本発明を具体化した第１実施形態を図１〜図８に基づいて説明する。
図１は、画像表示処理システムを示す。図１に示す画像表示処理システム１１は、パーソナルコンピュータ（以下、「ＰＣ１２」という）と電子カメラ１３とを備えている。
【００２２】
ＰＣ１２と電子カメラ１３とは通信ケーブル１４を通じて双方向通信可能に接続されている。ＰＣ１２は、本体１５と、モニタ１６と、キーボード１７及びマウス１８等よりなる入力装置１９（操作手段）とを備えている。本体１５には、画像表示処理装置２０が設けられている。この画像表示処理装置２０は、ユーザーが、入力装置１９を用いて指定した画像を編集するための装置である。詳しくは、本体１５内のハードディスク（図示省略）には、画像表示処理用のプログラムがインストールされており、このプログラムを実行する本体１５内のコンピュータとしてのＣＰＵ（中央処理装置）により画像表示処理装置２０が構成されている。このプログラムは、例えばＣＤ（Compact Disc）、ＤＶＤ（Digital Versatile Disc）、ＵＳＢ（Universal Serial Bus）メモリ等の記憶媒体に記憶されていたものを、本体１５に設けられた不図示の読取装置を介して記憶媒体からＰＣ１２にインストールされたものである。なお、ＰＣ１２と電子カメラ１３間で無線通信を行う構成でもよい。
【００２３】
ユーザーは、入力装置１９の操作でＰＣ１２内のＣＰＵに前記プログラムを実行させることにより、画像表示処理装置２０を起動させる。画像表示処理装置２０が起動すると、モニタ１６に画像選択画面２１（図３参照）が表示される。画像選択画面２１には、入力装置１９を用いてユーザーが指定したフォルダ内の画像を一覧表示される。ユーザーは、例えばモニタ１６の画面上のフォルダ選択画面（図示省略）で、本体１５内のハードディスク、ＰＣ１２に接続された電子カメラ１３等の外部機器又はＵＳＢメモリ等の外部記憶媒体、あるいは本体１５に内蔵又は外付けの読取装置に挿着されたＣＤやＤＶＤを指定し、その中（下位階層）のフォルダや画像ファイルの選択が可能となっている。フォルダを指定してその表示を実行させた場合、そのフォルダに関連付けられている画像表示処理装置２０が起動され、指定されたフォルダ内に格納された複数の画像ファイル中のサムネイル画像が一覧表示された画像選択画面２１をモニタ１６に表示させる。そして、画像表示処理装置２０は、一覧表示されたサムネイル画像の下側に、そのサムネイル画像における人物の有無や、人物が笑顔であるかどうかを示すアイコンを表示させる表示処理も行う。
【００２４】
図１に示す電子カメラ１３は、その本体前面の略中央部に配置された撮像レンズ部２２とそのやや上側に配置されたフラッシュ２３と、本体上面に配置された電源スイッチ２４とレリーズボタン２５とを有している。この電子カメラ１３は静止画撮影機能を備える。
【００２５】
電子カメラ１３はＣＣＤ（Charge Coupled Device）イメージセンサ又はＣＭＯＳイメージセンサ等の不図示の撮像素子を備える。電子カメラ１３内の不図示のメモリには、撮像レンズ部２２及び撮像素子等よりなる撮影手段により撮影された静止画の画像ファイルが記憶されている。
【００２６】
図２は、画像ファイルのデータ構造図を示す。図２に示すように、画像ファイルＩＦは、ヘッダＨと本画像データＭＩＤとを備える。ヘッダＨには、画像ファイルに関する画像関連情報ＲＤ（付帯情報）と、サムネイル画像データＴＩＤ（縮小画像データ）などが格納されている。画像関連情報ＲＤとしては、撮像日時（年・日・時・分・秒）、撮像条件（シャッタスピード、露出値、ズーム値、撮影モード、姿勢角等）、撮影位置（ＧＰＳ情報等）などの情報が挙げられる。なお、撮影場所の情報は、電子カメラ１３が内蔵する不図示のＧＰＳ（Global Positioning System）センサの検出信号に基づき生成する。
【００２７】
本実施形態では、電子カメラ１３内にも、画像表示処理装置２７が設けられている。電子カメラ１３内のメモリには、ＰＣ１２内の画像表示処理用のプログラムと基本的に同様のプログラムがインストールされている。そして、電子カメラ１３内のＣＰＵ（コンピュータ）が画像表示処理用のプログラムを実行することにより、電子カメラ１３内に画像表示処理装置２７が構築される。よって、画像表示処理装置２７は、ＰＣ１２側の画像表示処理装置２０と基本的に同じ機能を有している。
【００２８】
カメラ本体の背面側には、表示部２８（図４参照）が設けられている。表示部２８は、例えば液晶表示装置（Liquid Crystal Display）（ＬＣＤ）よりなる。電子カメラ１３内の画像表示処理装置２７は、例えば電子カメラ１３で撮影したメモリに記憶された画像を表示部２８に表示する。なお、画像表示処理装置２０を内蔵する電子機器は、パーソナルコンピュータに限定されず、例えばＰＤＡ（Personal Digital Assistant）や携帯電話、携帯用ゲーム機、ＡＶ機器などでもよい。
【００２９】
図４は、画像表示処理システムの電気的な機能構成を示すブロック図である。図４に示すように、画像表示処理システム１１は、通信ケーブル１４を通じて相互に通信可能に接続されたＰＣ１２と電子カメラ１３とを備える。ＰＣ１２に備えられた画像表示処理装置２０と、電子カメラ１３に備えられた画像表示処理装置２７とは基本構成は同じである。従って、以下、ＰＣ１２に備えられた画像表示処理装置２０について詳細に説明する。
【００３０】
ＰＣ１２は、本体１５とモニタ１６と入力装置１９とを備えている。本体１５内には、画像表示処理装置２０、表示駆動回路２９及び通信インターフェイス（以下、「通信Ｉ／Ｆ３０」と記す）などが設けられている。画像表示処理装置２０は、コンピュータ３１と記憶部３２とを備えている。
【００３１】
表示駆動回路２９にはモニタ１６が電気的に接続されている。コンピュータ３１は表示駆動回路２９を介してモニタ１６の表示駆動を行う。
通信Ｉ／Ｆ３０は、通信ケーブル１４を通じて電子カメラ１３と接続可能となっている。図４に示すように、電子カメラ１３と接続された状態では、通信Ｉ／Ｆ３０はコンピュータ３１からの指示に従って電子カメラ１３との間で通信制御が可能になっている。
【００３２】
画像表示処理装置２０は、記憶部３２、制御部３３、受付部３４、表示処理部３５、画像表示処理部３６、及び通信部３７を備える。制御部３３は、装置全体の制御を司る。
受付部３４は、入力装置１９の入力操作を受け付ける。受付部３４は、例えばマウス１８がクリック操作された際のクリック信号や、マウス１８の移動操作に応じてモニタ１６の画面におけるポインタ４３（図３参照）の位置座標を示す位置座標信号を入力する。入力装置１９の各種操作信号、すなわちキーボード１７のキー操作信号、マウス１８のクリック信号及び位置座標信号などは、受付部３４から制御部３３へ送られる。
【００３３】
表示処理部３５は、制御部３３の指示に従い表示駆動回路２９を駆動制御してモニタ１６に画像表示処理部３６が生成した各種画面や画像などを表示させる機能を有している。
画像表示処理部３６は、制御部３３の指示に従いサムネイル画像及び本画像などを表示させるための各種画面や画像を生成したり、生成した画面や画像の表示を制御部３３に対して要求したりする画像表示処理を行う。この画像表示処理では、画像選択画面２１（図３参照）や本画像、拡大画像４４，４５（図６参照）の生成などが行われる。
【００３４】
通信部３７は、通信Ｉ／Ｆ３０及び記憶部３２に接続される。通信部３７は、電子カメラ１３等の外部機器から通信ケーブル１４及び通信Ｉ／Ｆ３０を通じて画像ファイルを取得する機能、ＵＳＢメモリ、ＣＤやＤＶＤ等の記憶媒体から画像ファイルを取得する機能を有し、取得した画像ファイルを記憶部３２に記憶する。
【００３５】
画像表示処理装置２０は、制御部３３の指示に従って表示処理部３５が表示駆動回路２９を介してモニタ１６を駆動制御することにより、モニタ１６に画像選択画面２１（図３を参照）などの各種画像を表示する。
【００３６】
ここで、画像表示処理装置２０がモニタ１６に表示する画像選択画面について説明する。図３は画像選択画面を示す。図３に示すように、画像選択画面２１には、複数のサムネイル画像ＴＩが縦横にマトリクス状（図３の例では一画面に３×４の計１２個）に一覧表示される。画像選択画面２１における複数のサムネイル画像ＴＩのうち、顔の表情を認識しにくい顔サイズの顔を含むサムネイル画像ＴＩの下側には、普通顔アイコン（以下、単に「顔アイコン４１」と称す）と笑顔アイコン４２とのうち少なくとも一方が設けられている。なお、モニタ１６の画面（モニタ画面）には、マウス１８の操作位置を示すポインタ４３が表示されている。
【００３７】
図５は、顔アイコン付きのサムネイル画像を示す模式図である。図５に示すように、人物の顔を含むサムネイル画像ＴＩの下側には、顔アイコン４１が表示されている。顔アイコン４１の近傍には顔の数（つまり人数）を示す数字が表示されるようになっている。
【００３８】
図６（ａ）は、顔アイコンと笑顔アイコンの両方が付いたサムネイル画像を示す模式図、図６（ｂ），（ｃ）は、アイコンをクリックした時の画像表示結果を示す模式図である。図６（ａ）に示すように、笑顔でない顔と笑顔とを含むサムネイル画像ＴＩの下側には、顔アイコン４１（普通顔アイコン）と笑顔アイコン４２が共に表示される。顔アイコン４１の近傍には、笑顔でない顔の数（人数）を示す数字が表示される。また、笑顔アイコン４２の近傍には、笑顔の数（人数）を示す数字が表示されるようになっている。
【００３９】
図６（ａ）に示すサムネイル画像ＴＩにおいてその下側の笑顔アイコン４２をクリック（選択操作）すると、図６（ｂ）に示すように、笑顔の拡大画像４４がサムネイル表示エリアＴＡに拡大表示されるようになっている。また、図６（ａ）に示すサムネイル画像ＴＩにおいてその下側の顔アイコン４１をクリック（選択操作）すると、図６（ｃ）に示すように、笑顔でない人物の顔の拡大画像４５がサムネイル表示エリアＴＡに拡大表示されるようになっている。
【００４０】
図４に戻って、記憶部３２には、画像ファイル記憶部４７及びアイコン画像データ記憶部４８などの記憶領域が備えられている。画像ファイル記憶部４７には画像ファイルＩＦが格納される。例えば通信部３７が取り込んだ画像ファイルＩＦは、この画像ファイル記憶部４７に格納される。
【００４１】
アイコン画像データ記憶部４８は、アイコンを表示させるために用いるアイコン画像データを記憶するための記憶領域である。アイコン画像データ記憶部４８には、アイコン画像データとして、顔アイコン４１（図５、図６）のための顔アイコン画像データＤ２、笑顔アイコン４２（図６）のための顔アイコン画像データＤ１などの各アイコン画像データが格納されている。なお、図４のアイコン画像データ記憶部４８には、第２実施形態で述べる人アイコン７１（図９）のための人アイコン画像データＤ３も格納されている。
【００４２】
また、記憶部３２には、顔参照データ４９が記憶されている。ここで、顔参照データ４９には、サムネイル画像中に存在する顔を顔として認識するための顔検出処理のために参照する顔参照データと、サムネイル画像中で検出された顔のうち笑顔を検出する笑顔検出処理のために参照する笑顔参照データとが含まれる。
【００４３】
コンピュータ３１は、ユーザーが入力装置１９を用いて、モニタ１６上でフォルダを選択操作すると、選択操作されたフォルダに格納された画像ファイルからサムネイル画像データＴＩＤを所定枚数（図３の例では１２枚）分読出し、その所定枚数のサムネイル画像ＴＩが一覧表示された画像選択画面をモニタ１６に表示する。この画像選択画面２１の表示状態において、コンピュータ３１は受付部３４を通じてマウス１８によるアイコン４１又は４２のクリック操作を受け付けると、そのクリックされたアイコンに対応するサムネイル画像ＴＩ中の顔を拡大した拡大画像の表示制御を行う。この画像選択画面２１の表示処理及びアイコンクリック時の拡大画像の表示制御は、主に画像表示処理部３６が行う。
【００４４】
図４に示す画像表示処理部３６は、画像表示処理部５１、顔検出手段の一例としての顔検出部５２、顔サイズ判定部５３、表情検出手段の一例としての笑顔検出部５４、判定部５５、人数取得部５６及びアイコン表示処理部５７を備えている。さらに画像表示処理部３６は、アイコン操作判定部５８、ポインタオーバー操作検出部５９、顔抽出部６０、拡大画像生成部６１、拡大画像表示処理部６２、モード設定部６３及びモード判定部６４を備えている。
【００４５】
画像表示処理部５１は、サムネイル画像、本画像及び拡大画像などを表示する表示処理を行う。画像表示処理部５１は、制御部３３からの指示に従って画像ファイル記憶部４７内の指定アドレスに格納された例えば複数の画像ファイルＩＦからサムネイル画像データＴＩＤを読出し、その読出したサムネイル画像データＴＩＤに基づくサムネイル画像ＴＩを縦横に一覧表示した図３に示す画像選択画面２１をモニタ１６に表示させる。
【００４６】
顔検出部５２は、画像表示処理部５１が画像ファイル記憶部４７から読出したサムネイル画像データＴＩＤに対してその画像中の顔を検出する顔検出処理を行う。なお、本例の顔検出部５２は、顔検出（顔認識）できる最小サイズ（例えば２０ピクセル四方）以上の顔サイズであれば顔検出が可能となっている。
【００４７】
顔サイズ判定部５３は、画像選択画面２１におけるサムネイル画像ＴＩ中の顔のサイズが、そのサムネイル画像ＴＩを見たユーザが顔の表情を認識しにくい所定顔サイズ以下であるか否かを判定する顔サイズ判定処理を行う。本実施形態では、所定顔サイズは、一例として、サムネイル画像ＴＩに占める一人の顔面積の割合が１０〜２０％の範囲内の所定値Ａ（％）（例えば１５％）に設定されており、顔サイズ判定部５３は所定値Ａ（％）以下の顔サイズであるか否かを判定する。
【００４８】
笑顔検出部５４は、顔検出部５２が検出した顔について笑顔を検出する。本例では、笑顔検出部５４は、口角の上がり具合、歯の見え具合などを含む複数のパラメータに基づき笑顔の度合を評価する。詳しくは、笑顔検出部５４は、笑顔の度合（笑顔レベル）を例えば１０段階で評価する。その一例として、笑顔の度合は、無表情（笑っていない表情）であれば「１」、微笑が「２」〜「４」の３段階に分かれ、笑顔が「５」〜「７」の３段階、口を開けて笑っている大笑いが「８」〜「１０」の３段階に分かれる。評価点が高いほど笑いの度合が強い。また、笑顔検出部５４は、顔の向きを、一例として、顔の左右回転方向と上下回転方向とのそれぞれについて９段階に分けて、それぞれの顔の向きでも笑顔の評価が可能となっている。顔参照データ４９には、顔の向きごと及び笑顔の度合ごとに、笑顔の度合を評価するために参照する笑顔参照データが含まれている。笑顔検出部５４は、例えば笑顔の度合「３」以上を笑顔として検出する。もちろん、笑顔を検出する閾値となる所定の度合は「３」以外でもよく、さらに笑顔か笑顔でないかの２段階評価により笑顔を検出する構成も採用できる。
【００４９】
判定部５５は、笑顔検出部５４により笑顔が検出されたか否かを判定する機能を有している。
人数取得部５６は、笑顔が検出された人数と、笑顔でない人数を計数又は算出する処理を行う。人数取得部５６は、例えば顔検出部５２により検出された顔の数Ｎを計数するカウンタと、笑顔検出部５４により検出された笑顔の数Ｍ（≦Ｎ）を計数するカウンタと、顔の数Ｎから笑顔の数Ｍを減算して笑顔でない人数Ｑ（＝Ｎ−Ｍ）を計算する計算部とを有している。
【００５０】
アイコン表示処理部５７は、判定部５５が笑顔が検出されたと判定した場合、サムネイル画像ＴＩと対応する位置に、笑顔アイコン４２と笑顔の人数を表示する。一方、判定部５５が笑顔が検出されなかった（つまり笑顔でない顔が検出された）と判定した場合（つまり笑顔でない人物が存在する場合）に、サムネイル画像ＴＩと対応する位置に、顔アイコン４１（普通顔アイコン）と笑顔でない人数を表示する。なお、本例では、サムネイル画像ＴＩと対応する位置として、サムネイル画像の下側を採用し、図３に示すように、サムネイル画像の下側がアイコン４１，４２の表示位置として設定されている。
【００５１】
アイコン操作判定部５８は、クリック操作時に制御部３３から送られてきたポインタ位置座標情報に基づき、そのクリックされたアイコンが顔アイコン４１であるか笑顔アイコン４２であるかを判定する。
【００５２】
ポインタオーバー操作検出部５９は、制御部３３から送られてきたポインタ位置座標に基づき、人物の顔の上にポインタ４３を載せる人物に対するマウスオーバー操作（ポインタオーバー操作）がなされたことを検出する機能を有している。
【００５３】
顔抽出部６０は、サムネイル画像の中から顔検出部５２が検出した顔のうち、クリックされたアイコンの内容に対応する顔を含む矩形領域である顔画像を、サムネイル画像から抽出する顔抽出処理を行う。
【００５４】
拡大画像生成部６１は、顔抽出部６０が抽出した顔画像を拡大した拡大画像を生成する。拡大画像生成部６１は、顔抽出部６０が抽出した顔画像の人数が複数人である場合は、最大Ｐ人までの顔画像を１枚の画像内に並べて配置する画像合成処理を行って、拡大画像を生成する。
【００５５】
拡大画像表示処理部６２は、拡大画像生成部６１が生成した拡大画像を、サムネイル表示エリアＴＡ（図６参照）に表示したり、ポップアップ表示エリアＰＡ（図９参照）に表示したりする機能を有している。すなわち、拡大画像表示処理部６２は、拡大画像生成部６１が生成した拡大画像を、対応するサムネイル表示エリアＴＡに組み込んだ画像選択画面２１の画面画像データを生成する。
【００５６】
また、図４におけるモード設定部６３とモード判定部６４は、第２実施形態で用いるためのものである。モード設定部６３は、拡大画像の表示モードを設定する機能を有している。モニタ１６に表示される例えばフォルダ選択画面のプロパティには、拡大画像の表示モードを設定可能なモード設定項目が用意されており、ユーザが入力装置１９の操作でモードを設定できるようになっている。モード設定部６３は、このユーザによる操作で入力装置１９から受付けた操作信号に応じたモードを表示モードとして設定する。また、モード判定部６４は、拡大画像を表示する際に、モード設定部６３により設定された表示モードを判定する。
【００５７】
ＰＣ１２の記憶部３２には、図７にフローチャートで示す画像表示処理ルーチンのプログラム、及び図８にフローチャートで示す画像表示制御ルーチンのプログラムが記憶されている。次に、画像表示処理装置２０が行う画像表示処理及び画像表示制御について、図７及び図８に示すフローチャートに従って説明する。
【００５８】
ユーザは、画像表示処理を行う際は、ＰＣ１２の入力装置１９を操作して画像表示処理装置２０を起動し、次に入力装置１９を操作してフォルダ選択画面でフォルダを指定すると、モニタ１６に図３に示す画像選択画面２１を表示する。また、入力装置１９を操作してモニタ１６にフォルダ選択画面を表示させた後、フォルダを選択操作すると、そのフォルダに関連付けられた画像表示処理装置２０が起動し、モニタ１６に図３に示す画像選択画面２１を表示する。
【００５９】
コンピュータ３１は、フォルダ選択画面でユーザによるフォルダの選択操作を受付けると、そのフォルダ中の画像ファイルに基づき図３に示す画像選択画面２１を表示すべく図７に示すサムネイル画像表示処理ルーチンを実行する。以下、サムネイル画像表示処理ルーチンを図７に従って説明する。
【００６０】
まずステップＳ１０では、サムネイル画像を読み出してモニタ１６に表示する。すなわち、記憶部３２からフォルダ中の画像ファイルにおけるサムネイル画像データを順次読み出し、読み出したサムネイル画像データに基づくサムネイル画像を、画像選択画面２１の画面エリア内に縦横に配列されたＮ個（図３の例では４×３＝１２個）のサムネイル表示エリアにそれぞれ表示する。この結果、Ｎ枚のサムネイル画像が画像選択画面２１に一覧表示される。
【００６１】
次のステップＳ２０では、Ｎ枚のサムネイル画像に対して顔検出処理を行う。すなわち、コンピュータ３１内の顔検出部５２が、制御部３３の指示に従ってサムネイル画像の１枚ずつについて顔検出処理を行う。この顔検出処理は、顔の特徴抽出を伴う公知の顔認識処理によって、画像中に存在する顔を検出する。一例として、両目の間隔、目と口の位置関係などを特徴量として抽出し、その特徴量から顔参照データを参照することにより顔の検出を行う。風景などの写真などの中で人物が小さく顔の表情を認識しにくい顔サイズの場合でも、顔が検出される。
【００６２】
次のステップＳ３０では、コンピュータ３１が、顔が検出されたか否かを判断する。このとき、顔検出対象のＮ枚のサムネイル画像のうち１枚でも顔が検出されれば、顔が検出されたと判断する。顔が検出されればステップＳ４０に進み、顔が検出されなければ当該ルーチンを終了する。なお、本実施形態では、このステップＳ２０，Ｓ３０の処理が、判定ステップに相当する。
【００６３】
ステップＳ４０では、コンピュータ３１が、表情を認識しにくい顔サイズであるか否かを判断する。例えば、サムネイル画像における顔のサイズが所定値以下である場合、ユーザが表情を認識しにくい顔サイズであると判断する。詳しくは、この判断は顔サイズ判定部５３が行う。表情を認識しにくい顔サイズであればステップＳ５０に進み、表情を認識しにくい顔サイズでなければ当該ルーチンを終了する。
【００６４】
ステップＳ５０では、コンピュータ３１が笑顔検出処理を行う。詳しくは、笑顔検出部５４が、検出された顔について笑顔を検出する。笑顔検出部５４はまず眼と口とを含む顔の部品を特徴抽出し、予め記憶する複数段階（例えば１０段階）の笑顔の度合別の特徴パターンと、特徴抽出した顔の特徴パターンとを比較して、その顔の笑顔の度合を評価する。笑顔の評価結果が所定の度合以上であれば笑顔として検出する。なお、このステップＳ５０の処理が、判定ステップに相当する。
【００６５】
ステップＳ６０では、コンピュータ３１が、検出した笑顔の人数が１人以上であるか否かを判断する。この判断は詳しくはコンピュータ３１内の判定部５５が行う。笑顔の人数が１人以上であればステップＳ７０に進み、笑顔が１人もいなければステップＳ８０に進む。
【００６６】
ステップＳ７０では、コンピュータ３１が、サムネイル画像の下に、笑顔アイコン４２と笑顔の人数を表示する。この表示処理は詳しくはコンピュータ３１内のアイコン表示処理部５７が行う。なお、このステップＳ７０の処理が、表示制御ステップに相当する。
【００６７】
ステップＳ８０では、笑顔でない人数は１人以上であるか否かを判断する。この判断処理は、コンピュータ３１内の判定部５５が行う。笑顔でない人数が１人以上であればステップＳ９０に進み、笑顔でない人数が１人もいなければ当該ルーチンを終了する。
【００６８】
次のステップＳ９０では、コンピュータ３１が、サムネイル画像の下に、顔アイコン４１と笑顔以外の人数を表示する。この表示処理は詳しくはコンピュータ３１内のアイコン表示処理部５７が行う。なお、このステップＳ９０の処理が、表示制御ステップに相当する。
【００６９】
こうしてモニタ１６には、図３に示す画像選択画面２１が表示される。ユーザは画像選択画面２１を見て、本画像を開くサムネイル画像を選択する。このとき、人物の顔が小さくユーザにとってサムネイル画像を見ただけではその表情が笑顔であるかどうかを認識しくい場合でも、笑顔アイコン４２を見ることで、本画像をいちいち開いて確認しなくても、人物が笑顔であることを判断できる。また、顔アイコン４１があることで、笑顔でない顔があることが分かる。そして、笑顔アイコン４２の近傍に表示された人数と、顔アイコン４１の近傍に表示された人数とから、笑顔の人数と笑顔以外の人数とをそれぞれ把握することができる。さらに、ユーザは笑顔を拡大画像で確認したい場合には、笑顔アイコン４２をクリックし、笑顔以外の顔を確認したい場合は、顔アイコン４１をクリックする。顔アイコン４１と笑顔アイコン４２のうち、どちらのアイコンをクリックしたかは、アイコン操作判定部５８が判定する。
【００７０】
コンピュータ３１はアイコンクリックの通知を受付けると、図８に示すアイコンクリック時の画像表示制御ルーチンを実行する。以下、この画像表示制御ルーチンを図８に従って説明する。
【００７１】
ステップＳ１１０では、コンピュータ３１が、クリックしたアイコンが笑顔アイコン４２であるか否かを判断する。笑顔アイコン４２であればステップＳ１２０に進み、笑顔アイコン４２でなければ（つまり顔アイコン４１であれば）ステップＳ１３０に進む。
【００７２】
ステップＳ１２０では、コンピュータ３１が、笑顔を抽出する。詳しくは顔抽出部６０が、クリックされた笑顔アイコン４２に対応するサムネイル画像ＴＩから笑顔を抽出する。
【００７３】
ステップＳ１３０では、コンピュータ３１が、笑顔でない顔を抽出する。詳しくは顔抽出部６０が、クリックされた顔アイコン４１に対応するサムネイル画像ＴＩから笑顔でない顔を抽出する。
【００７４】
ステップＳ１４０では、コンピュータ３１が、最大Ｐ人分（本例ではＰ＝３）の顔を含む拡大画像を生成する。詳しくは、拡大画像生成部６１が、笑顔を含む矩形領域を最大Ｐ人分取得し、各矩形領域の画像を１枚に画像合成して拡大処理する。なお、このとき使用する矩形領域の画像は、本画像データＭＩＤから切り取って取得する。一般的にサムネイル画像データＴＩＤから取得すると、高精細な画像にならないためである。高精細な画像を取得できるようなサムネイル画像の場合はサムネイル画像データＴＩＤから切り取って取得してもよい。
【００７５】
ステップＳ１５０では、コンピュータ３１が、サムネイル表示エリアに拡大画像を表示する。この処理は拡大画像表示処理部６２が行う。よって、図６（ａ）のサムネイル画像ＴＩの下側の笑顔アイコン４２をクリックした場合、同図（ｂ）に示すように最大Ｐ人分（この例では３人）の笑顔を拡大して横に並べて配列した拡大画像４４がサムネイル表示エリアＴＡに表示される。また、図６（ａ）のサムネイル画像ＴＩの下側の顔アイコン４１をクリックした場合、同図（ｃ）に示すように笑顔でない顔の拡大画像４５がサムネイル表示エリアＴＡに表示される。
【００７６】
ステップＳ１６０では、コンピュータ３１が、拡大画像の表示開始から設定時間を経過したか否かを判断する。設定時間を経過すればステップＳ１７０に進み、設定時間を経過していなければ設定時間を経過するまで拡大画像４４又は４５の表示を継続する。
【００７７】
ステップＳ１７０では、抽出した顔の全てを拡大表示し終えたか否かを判断する。全てを拡大表示し終えていなければステップＳ１８０で次の最大Ｐ人に進み、ステップＳ１４０に戻る。この場合、次の最大Ｐ人についてステップＳ１４０〜Ｓ１７０の各処理を行う。こうして、ステップＳ１７０で抽出した顔の全てを拡大表示し終えたと判断されるまで、ステップＳ１４０〜Ｓ１７０の各処理を繰り返し行い、最大Ｐ人ずつの顔を含む拡大画像を順次表示する。そして、Ｓ１７０において、抽出した顔の全てを拡大表示し終えたと判断すると、ステップＳ１９０に進んで拡大画像の表示を終了する。
【００７８】
例えばサムネイル画像に笑顔の人物が７人いる場合、笑顔アイコン４２をクリックすると、そのサムネイル表示エリアに７人のうち最大３人ずつ（３人→３人→１人）の笑顔を含む拡大画像４４が設定時間ずつ順番に表示されるスライドショーが行われる。一方、例えばサムネイル画像ＴＩに笑顔でない顔の人物が５人いる場合、顔アイコン４１をクリックすると、そのサムネイル表示エリアＴＡに５人のうち最大３人ずつ（３人→２人）の笑顔でない顔を含む拡大画像４５が設定時間ずつ順番に表示されるスライドショーが行われる。なお、電子カメラ１３においてもカメラ本体に内蔵する画像表示処理装置２７の起動により、表示部２８に画像選択画面２１が表示される。そして、この画像選択画面２１の表示状態において、操作部２６のうち画像選択画面２１上のアイコン４１，４２を含む各部を選択操作可能な操作部（例えば矢印キーとＯＫボタン）を操作することにより、拡大画像４４，４５を表示できる。また、電子カメラ１３の表示部２８はタッチパネルであって操作用のペンでアイコン４１，４２の操作が可能な構成が好ましい。表示部２８がタッチパネルでない場合は、ＰＣ１２におけるポインタ４３に替えて、操作部２６（例えば矢印キー）の１回の操作の度に選択箇所が順番に切り換わる構成とすればよい。
【００７９】
以上詳述したようにこの第１実施形態によれば、以下の効果が得られる。
（１）サムネイル画像中の人物の顔がその表情が認識しにくい顔サイズでも、サムネイル画像と対応する位置（例えば下側）に、表情を示すアイコン４１，４２を表示するので、サムネイル画像ＴＩをクリックして本画像を開かなくても、顔の表情を把握できる。
【００８０】
（２）アイコン４１，４２の近傍に人数を数値で示したので、本画像を開くことなくサムネイル画像ＴＩ中に存在する人物の人数も把握できる。
（３）表情が笑顔であるかどうかによって顔アイコン４１と笑顔アイコン４２とに分けて表示したので、本画像を開かなくても、顔の表情の内訳も把握できる。
【００８１】
（４）顔アイコン４１と笑顔アイコン４２の各々の近傍に人数を数字で表示することにより、笑顔でない人数と笑顔の人数を分けて表示する構成なので、本画像を開かなくても、笑顔でない人と笑顔の人との人数の内訳も把握できる。
【００８２】
（５）笑顔アイコン４２をクリックすれば、笑顔の拡大画像４４が表示されるので、本画像を開かなくても、笑顔の画像を詳細に確認できる。
（６）顔アイコン４１（普通顔アイコン）をクリックすれば、笑顔でない顔の拡大画像４５が表示されるので、本画像を開かなくても、笑顔でない顔の画像を詳細に確認できる。
【００８３】
（７）アイコンクリック時に拡大画像４４又は４５を、最大Ｐ人ずつの顔の拡大を合成して並べた拡大画像として表示されるので、抽出された顔の数（人数）よりも少ない枚数の拡大画像の表示により、抽出された人数分の全ての顔の詳細を確認できる。
【００８４】
（８）拡大画像がスライドショーで表示され、拡大画像が複数枚ある場合でも設定時間経過毎に次の拡大画像へ切り換わるため、１回のアイコンクリック操作で全ての拡大画像を確認できる。このため、顔の確認に必要な所要時間を短時間で済ますことができる。
【００８５】
（９）電子カメラ１３にも画像表示処理装置２７を備えたので、電子カメラ１３においても、上記（１）〜（８）の効果を同様に得ることができる。
（第２実施形態）
次に、第２実施形態を説明する。この実施形態では、サムネイル画像中に人物が存在する旨を示す人アイコンが表示される例である。また、サムネイル画像中の人物をマウスオーバー（ポインタオーバー）したときに拡大画像を表示する例である。図９は、人物マウスオーバー時に拡大画像がポップアップ表示される様子を示す画像選択画面におけるアイコン付きサムネイル画像の模式図である。
【００８６】
図９に示すように、画像選択画面２１中のサムネイル画像ＴＩにおいて、そのサムネイル画像ＴＩ中に人物と認識しにくい顔サイズの人物が存在することを検出した場合、そのサムネイル画像ＴＩの下側には、人アイコン７１が表示される。また、サムネイル画像ＴＩ中に存在する人物の表情（笑顔）を検出してその検出結果の表情に応じたアイコン４１，４２も表示される。図９（ａ）の例では、人物が笑顔でないので、サムネイル画像ＴＩの下側には、顔アイコン４１（普通顔アイコン）のみが表示されている。
【００８７】
図９（ｂ）に示すように、マウス１８を操作してサムネイル画像ＴＩ中の人物上にポインタ４３を位置させるマウスオーバー操作（ポインタオーバー操作）をすると、そのマウスオーバーされた人物の顔を含む拡大画像７５がポップアップ表示される。
【００８８】
本実施形態では、拡大画像７５の表示モードとして３つのモード、すなわち単純拡大モード、背景重視モード、人物強調モードが用意されている。このため、拡大画像７５は、３つのモードに応じた３種類のうち１つの表示モードで表示されるようになっている。すなわち、拡大画像７５には、図９（ｃ）に示す単純拡大モードの拡大画像７５Ａ、図９（ｄ）に示す背景重視モードの拡大画像７５Ｂ、図９（ｅ）に示す人物強調モードの拡大画像７５Ｃの３種類がある。
【００８９】
モードの設定は、図４に示すモード設定部６３が行う。モニタ１６に表示されたフォルダ選択画面においてそのプロパティには拡大画像のモードを設定可能なモード設定項目が用意されており、ユーザが入力装置１９の操作でモードを設定できるようになっている。そして、モード設定部６３は、フォルダ選択画面のプロパティが開かれた状態で入力装置１９から操作信号を入力すると、その操作信号に応じたモードを設定する。そして、図４に示すモード判定部６４が、人物のマウスオーバー操作時に設定中のモードを判定し、拡大画像生成部６１がその判定したモードに応じた拡大画像を生成し、拡大画像表示処理部６２がその生成された拡大画像をポップアップ表示させる構成となっている。
【００９０】
ここで、３つのモードに応じた拡大画像について詳細に説明する。図９（ｃ）に示す単純拡大モードの拡大画像７５Ａは、サムネイル画像ＴＩにおける人物の顔を含む矩形領域を拡大した拡大画像である。このため、人物の顔とともにその背景も一緒に拡大される。このとき、人物の顔を含む矩形領域を切り取って拡大処理するだけなので、表示処理速度が短く済み、表示速度が要求されるときに有効なモードである。
【００９１】
図９（ｄ）に示す背景重視モードの拡大画像７５Ｂは、背景を重視するモードであり、背景は拡大せずそのままの倍率で、人物の顔を含む部分だけを拡大し、その拡大した顔を拡大なしの背景に合成した拡大画像である。背景の倍率はそのまま維持されるので、背景の全体を確認しつつ人物の顔の詳細を確認することが可能である。例えば旅先の写真を選択するときなど背景が重要視される場合に有効なモードである。
【００９２】
図９（ｅ）に示す人物強調モードの拡大画像７５Ｃは、人物の顔を含む部分のみを切り取って、単一色の背景と画像合成した拡大画像である。拡大画像生成部６１は、人物の顔を含む部分の色を解析し、その解析した色と異なる色（例えば補色）の単一色を背景に選択し、その選択した単一色の背景と人物の顔を含む部分を拡大した画像とを画像合成して拡大画像７５Ｃの画像データを生成する。この拡大画像７５Ｃは、人物の輪郭を認識しやすいよう単一色の背景によって人物の輪郭を強調する。このため、人物強調モードは、サムネイル画像ＴＩにおける背景の色と人物の色とが同色系であって人物の輪郭が認識しにくい場合に有効なモードである。
【００９３】
次に、この第２実施形態におけるサムネイル画像表示処理ルーチンを説明する。コンピュータ３１が図１０に示すサムネイル画像表示処理ルーチンの実行を開始する開始条件は、前記第１実施形態と同様である。
【００９４】
図１０において、ステップＳ２１０〜Ｓ２３０の各処理は、第１実施形態における図７のＳ１０〜Ｓ３０の各処理と同様である。
ステップＳ２４０では、顔を認識しにくい顔サイズであるか否かを判断する。例えば、サムネイル画像における顔のサイズが所定値以下である場合、ユーザが顔を認識しにくい顔サイズであると判断する。詳しくは、この判断は顔サイズ判定部５３が行う。但し、第１実施形態における所定値Ａ（％）が、表情を認識しにくい（具体的には笑顔であるかどうかを認識しにくい）顔サイズに合わせて設定されていたのに対して、この第２実施形態における所定値Ｂ（％）は、人物の顔であるかどうかを認識しにくい顔サイズに合わせて設定されている。そのため、所定値Ｂ（％）は、前記第１実施形態の所定値Ａ（％）よりも小さな値に設定されている（Ｂ＜Ａ）。本実施形態では、所定値Ｂ（％）は、一例として、サムネイル画像ＴＩに占める一人の顔面積の割合が５〜１０％の範囲内の所定値（例えば７％）に設定されており、顔サイズ判定部５３は所定値Ｂ（％）以下の顔サイズであるか否かを判定する。顔を認識しにくい顔サイズであればステップＳ２５０に進み、顔を認識しにくい顔サイズでなければ当該ルーチンを終了する。
【００９５】
ステップＳ２５０では、コンピュータ３１が、サムネイル画像の下に、人アイコン７１とサムネイル画像に存在する人物の人数（顔の数）を表示する。この表示処理は詳しくはコンピュータ３１内のアイコン表示処理部５７が行う。なお、このステップＳ２５０の処理が、表示制御ステップに相当する。
【００９６】
ステップＳ２６０では、コンピュータ３１が笑顔検出処理を行う。詳しくは、笑顔検出部５４が、検出された顔について笑顔を検出する。なお、このステップＳ２６０の処理が、判定ステップに相当する。
【００９７】
ステップＳ２７０では、コンピュータ３１が、検出した笑顔の人数が１人以上であるか否かを判断する。この判断は詳しくはコンピュータ３１内の判定部５５が行う。笑顔の人数が１人以上であればステップＳ２８０に進み、笑顔が１人もいなければステップＳ２９０に進む。
【００９８】
ステップＳ２８０では、コンピュータ３１が、サムネイル画像の下に、笑顔アイコン４２を表示する。この表示処理は詳しくはコンピュータ３１内のアイコン表示処理部５７が行う。なお、このステップＳ２８０の処理が、表示制御ステップに相当する。
【００９９】
ステップＳ２９０では、笑顔でない人数は１人以上であるか否かを判断する。この判断処理は、コンピュータ３１内の判定部５５が行う。笑顔でない人数が１人以上であればステップＳ３００に進み、笑顔でない人数が１人もいなければ当該ルーチンを終了する。
【０１００】
次のステップＳ３００では、コンピュータ３１が、サムネイル画像の下に、顔アイコン４１を表示する。この表示処理は詳しくはコンピュータ３１内のアイコン表示処理部５７が行う。なお、このステップＳ３００の処理が、表示制御ステップに相当する。
【０１０１】
こうしてモニタ１６に表示された画像選択画面には、図９（ａ）に示すサムネイル画像ＴＩと、その下側に人アイコン７１と、人物の顔が笑顔であるかどうかを示すアイコン４１，４２（但し図９の例では顔アイコン４１のみ）が表示される。そして、人アイコン７１の近傍には人数を示す数字が表示される。ユーザは画像選択画面を見て、本画像を開くサムネイル画像を選択する。このとき、人物の顔が小さくユーザにとってサムネイル画像を見ただけではそのサムネイル画像中に人物が存在するかどうかを認識しくい場合でも、人アイコン７１があることをもって、本画像をいちいち開いて確認しなくても、サムネイル画像ＴＩ中に人物が存在することを容易に判断できる。また、顔アイコン４１から、人アイコン７１で示された人物が笑顔でないことを把握できる。さらに、ユーザは人物の顔を拡大画像で確認したい場合には、図９（ｂ）に示すように、サムネイル画像ＴＩ上の人物に対して例えば顔の部分にポインタ４３を置くマウスオーバー操作を行う。人物に対するマウスオーバー操作は、図４に示すポインタオーバー操作検出部５９が検出する。
【０１０２】
次に、人物にマウスオーバーされた時にコンピュータ３１が実行する画像表示制御ルーチンを図１１に従って説明する。
ステップＳ４１０では、コンピュータ３１が、単純拡大モードであるか否かを判断する。詳しくは、このモード判定はモード判定部６４が行う。単純拡大モードであればステップＳ４２０に進み、単純拡大モードでなければステップＳ４３０に進む。
【０１０３】
ステップＳ４２０では、コンピュータ３１が、マウスオーバーで指定された人物の顔を含む矩形領域の拡大画像を生成する。詳しくは、この拡大画像の生成は拡大画像生成部６１が行う。
【０１０４】
ステップＳ４３０では、コンピュータ３１が、背景重視モードであるか否かを判断する。詳しくは、このモード判定はモード判定部６４が行う。背景重視モードであればステップＳ４４０に進み、背景重視モードでなければステップＳ４５０に進む。
【０１０５】
ステップＳ４４０では、コンピュータ３１が、マウスオーバーで指定された人物の顔を含む部分を切り取って拡大した人物画像と、背景の画像とを合成した拡大画像を生成する。詳しくは、この拡大画像の生成は拡大画像生成部６１が行う。
【０１０６】
ステップＳ４５０では、コンピュータ３１が、人物強調モードであるか否かを判断する。詳しくは、このモード判定はモード判定部６４が行う。人物強調モードであればステップＳ４６０に進み、人物強調モードでなければステップＳ４７０に進む。
【０１０７】
ステップＳ４６０では、コンピュータ３１が、マウスオーバーで指定された人物の顔を含む部分を切り取って拡大した拡大画像を生成する。詳しくは、この拡大画像の生成は拡大画像生成部６１が行う。このとき、拡大画像生成部６１は、人物の顔を含む部分の色を解析し、その解析した色と異なる色（例えば補色）を単一色とする背景と、人物の顔を含む部分を拡大した人物画像とを合成した拡大画像を生成する。
【０１０８】
ステップＳ４７０では、コンピュータ３１が、拡大画像をポップアップ表示する。詳しくは、このポップアップ表示は拡大画像表示処理部６２が行う。拡大画像表示処理部６２は、ポップアップ表示エリアＰＡ（図９参照）に拡大画像７５を表示させる。
【０１０９】
この結果、例えば図９（ｂ）に示すようにサムネイル画像ＴＩにおける人物にポインタ４３を置いたマウスオーバー操作を行うと、図９（ｂ）に示すように、サムネイル画像ＴＩの例えば右上位置のポップアップ表示エリアＰＡに拡大画像７５がポップアップ表示される。このとき設定されているモードが単純拡大モードであれば、図９（ｃ）に示す拡大画像７５Ａが表示される。また、背景重視モードであれば、図９（ｄ）に示す拡大画像７５Ｂが表示される。さらに、人物強調モードであれば、図９（ｅ）に示す拡大画像７５Ｃが表示される。
【０１１０】
そして、ステップＳ４８０では、コンピュータ３１が、人物のマウスオーバーが解除されたか否かを判断する。詳しくは、この判断はポインタオーバー操作検出部５９が行う。人物のマウスオーバーが解除されなければ拡大画像７５のポップアップ表示を継続し、人物のマウスオーバーが解除されればステップＳ４９０に進む。
【０１１１】
ステップＳ４９０では、コンピュータ３１が、拡大画像のポップアップ表示を終了する。詳しくは、拡大画像表示処理部６２がポップアップ表示を終了させる。この結果、ユーザがマウス１８を操作してサムネイル画像ＴＩ上の人物に置いたポインタ４３を、その人物から外して人物へのマウスオーバーを解除すると、ポップアップ表示が終了されて拡大画像７５が画面から消失する。よって、ユーザが人物にマウスオーバーしている間だけ拡大画像７５を確認でき、拡大画像７５の確認が終了して人物へのマウスオーバーを解除すれば、拡大画像７５を消すことができる。このため、マウスオーバーする人物を順番に切り替えることで、人物の顔の拡大画像を順番に確認することができる。このときマウス１８のクリック操作は不要であるうえ、拡大画像の表示時間もマウス操作によるポインタ４３の移動により調整できるので、画像選択画面において所望のサムネイル画像を短時間で探し出したり、複数のサムネイル画像の詳細な内容を拡大画像によりスピーディに確認することができる。
【０１１２】
さらに、ユーザは顔を拡大画像で確認したい場合、第１実施形態と同様に、笑顔アイコン４２をクリックすることで笑顔の拡大画像を表示させ、顔アイコン４１をクリックすることで笑顔以外の顔の拡大画像を表示させることができる。顔アイコン４１と笑顔アイコン４２のうち、どちらのアイコンをクリックしたかは、第１実施形態と同様にアイコン操作判定部５８が判定する。
【０１１３】
次に、アイコンクリック時にコンピュータ３１が実行する画像表示制御ルーチンを図１２に従って説明する。コンピュータ３１はアイコンクリックの通知を受付けると、図１２に示す画像表示制御ルーチンを実行する。
【０１１４】
ステップＳ５１０では、コンピュータ３１が、クリックしたアイコンが人アイコン７１であるか否かを判断する。人アイコン７１であればステップＳ５２０に進み、人アイコン７１でなければステップＳ５３０に進む。
【０１１５】
ステップＳ５２０では、コンピュータ３１が、全ての顔を抽出する。詳しくは顔抽出部６０が、クリックされた人アイコン７１に対応するサムネイル画像ＴＩから全ての顔を抽出する。
【０１１６】
ステップＳ５３０では、コンピュータ３１が、クリックしたアイコンが笑顔アイコン４２であるか否かを判断する。笑顔アイコン４２であればステップＳ５４０に進み、笑顔アイコン４２でなければ（つまり顔アイコン４１であれば）ステップＳ５５０に進む。
【０１１７】
ステップＳ５４０では、コンピュータ３１が、笑顔を抽出する。詳しくは顔抽出部６０が、クリックされた笑顔アイコン４２に対応するサムネイル画像ＴＩから笑顔を抽出する。
【０１１８】
ステップＳ５５０では、コンピュータ３１が、笑顔でない顔を抽出する。詳しくは顔抽出部６０が、クリックされた顔アイコン４１に対応するサムネイル画像ＴＩから笑顔でない顔を抽出する。
【０１１９】
そして、ステップＳ５６０〜Ｓ６００の処理を、ステップＳ５９０において、抽出した顔の全てを拡大表示し終えたと判断されるまで、抽出した顔のうち最大Ｐ人分の顔を拡大して並べた拡大画像を生成して、サムネイル表示エリアＴＡに設定時間おきに最大Ｐ人分ずつ順次表示するスライドショーを行う。このスライドショーを行うＳ５６０〜Ｓ６００の処理は、第１実施形態における図８のＳ１４０〜Ｓ１８０の処理と基本的に同じである。こうしてコンピュータ３１は、Ｓ５９０において、抽出した顔の全てを拡大表示し終えたと判断すると、ステップＳ６１０に進んで、拡大画像の表示を終了する。
【０１２０】
このように人アイコン７１をクリックしたときには、対応するサムネイル画像ＴＩ中の全ての顔が最大Ｐ人ずつ拡大された拡大画像がスライドショーでサムネイル表示エリアＴＡに表示される。また、笑顔アイコン４２をクリックしたときには、対応するサムネイル画像ＴＩ中の笑顔が最大Ｐ人ずつ拡大された拡大画像がスライドショーでサムネイル表示エリアＴＡに表示される。さらに、顔アイコン４１をクリックしたときには、対応するサムネイル画像ＴＩ中の笑顔でない顔が最大Ｐ人ずつ拡大された拡大画像がスライドショーでサムネイル表示エリアＴＡに表示される。
【０１２１】
なお、電子カメラ１３においてもカメラ本体に内蔵する画像表示処理装置２７の起動により、表示部２８に画像選択画面が表示されるとともに、この画像選択画面の表示状態において操作部２６のうちポインタを移動可能な操作部（例えば矢印キー）を操作することによりポインタオーバーした人物の顔の拡大画像７５を表示できる。さらに、この画像選択画面の表示状態において操作部２６のうちアイコン４１，４２を含む各部を選択操作可能な操作部（例えば矢印キーとＯＫボタン）を操作することにより拡大画像を表示できる。
【０１２２】
この第２実施形態によれば、第１実施形態における効果（１），（３），（５）〜（９）が同様に得られるうえ、以下の効果が得られる。
（１０）人アイコン７１を設けたので、サムネイル画像中の人物が小さく、人物が存在するかどうかを認識しにくい場合でも、本画像を開くことなく、人アイコン７１が表示されていることをもって、対応するサムネイル画像ＴＩ中に人物が存在することを容易に確認することができる。
【０１２３】
（１１）人アイコン７１の近傍にサムネイル画像ＴＩ中で顔が検出された人数を数字で示したので、本画像を開かなくても、サムネイル画像ＴＩ中の人物の人数を容易に把握することができる。
【０１２４】
（１２）サムネイル画像ＴＩ中の人物をマウスオーバーすると、拡大画像７５を表示する構成なので、本画像を開かなくても、所望する人物の顔の詳細を拡大画像７５を通じて確認することができる。
【０１２５】
（１３）人物のマウスオーバー操作による拡大画像７５の表示時間は、ユーザによるマウス１８の操作により調整できる。よって、マウスオーバーする人物を順次切り替えることにより、複数のサムネイル画像中の人物の顔の詳細を短時間で確認できたり、画像選択画面中の複数のサムネイル画像ＴＩの中から、所望のサムネイル画像ＴＩを短時間に探し出したりすることができる。
【０１２６】
（１４）設定されているモードに応じた表示内容で拡大画像７５を表示させるので、モードに応じた拡大画像７５によって人物の顔の詳細などを効率良く確認することができる。
【０１２７】
（１５）単純拡大モードでは、拡大画像７５Ａの表示処理時間が短く済むので、拡大画像７５Ａが表示されるまでの待ち時間が短く、スピーディに拡大画像７５Ａを確認することができる。
【０１２８】
（１６）背景重視モードでは、背景の風景などがそのままの倍率でその背景と、人物の顔を拡大した人物画像とを合成して拡大画像７５Ｂを生成するので、表示された拡大画像７５Ｂを通じて背景の風景などをそのままの倍率で確認しつつ人物の顔の詳細を確認できる。画像選択画面で例えば旅先の写真を選択する場合に、拡大画像７５Ｂを通じて風景を考慮しつつ所望のサムネイル画像を効率良く選択することができる。
【０１２９】
（１７）人物強調モードでは、人物の顔を含む部分の輪郭が強調された拡大画像７５Ｃが表示されるので、サムネイル画像ＴＩにおいて人物の顔を含む部分と背景とが同色系であっても、拡大画像７５Ｃを通じて輪郭が明確な人物の顔を確認することができる。
【０１３０】
前記実施形態は上記に限定されず、以下の態様に変更することもできる。
・第２実施形態では、人物の有無を示す人アイコン７１と、顔の表情を示す顔アイコン４１及び笑顔アイコン４２を採用したが、例えば表情を示すアイコンを設けない構成も採用できる。例えば図１３（ａ）に示すように、サムネイル画像中ＴＩに人物が存在する場合、サムネイル画像ＴＩの下側に、人アイコン７１と人物の人数を表示する。人アイコン７１をクリックすると、画像表示処理装置２０（又は２７）は、図１３（ｂ）に示すように、人物を含む矩形領域を拡大した拡大画像７５をサムネイル表示エリアＴＡに表示する。もちろん、拡大画像７５は、設定されているモードに応じた拡大画像７５Ａ，７５Ｂ，７５Ｃを表示してもよい。また、拡大画像７５の表示エリアは、ポップアップ表示エリアＰＡでも構わない。
【０１３１】
この構成によれば、風景撮影モードで撮影された写真画像であっても、そのサムネイル画像ＴＩ中における人物の有無を人アイコン７１があることをもって簡単に確認できる。このため、風景の本画像を開かなくても、人物の有無を簡単に確認できる。特にサムネイル画像ＴＩ中で顔が検出された人物の人数も表示されるので、本画像を開かなくても、人数も簡単に確認できる。なお、この構成の場合も、サムネイル画像ＴＩ中の人物をマウスオーバーした場合に、拡大画像７５がポップアップ表示される構成も採用できる。
【０１３２】
・第２実施形態で背景重視モードは予めユーザーが設定する構成に限定されない。例えばＧＰＳを有する電子カメラの場合、画像ファイル中の画像関連情報中に格納されたＧＰＳ情報から把握される撮影位置と、予め登録された自宅位置とを比較し、自宅を中心とする半径所定距離（例えば10km〜50kmの範囲内の設定距離）以内にその撮影位置がなければ、コンピュータ３１が背景重視モードを設定する構成も採用できる。例えば、自宅を中心とする半径所定距離以内に撮影場所がなければ、撮影場所は旅先であるとみなすことができ、その場合には人物の背景にある風景も重要視された拡大画像７５Ｂを表示できる。
【０１３３】
・第２実施形態では人物強調モードは予めユーザーが設定する構成としたが、例えばモード設定部６３が、サムネイル画像を解析して人物の顔を含む部分の色と背景の色とが同色系であり、人物の顔を含む部分の輪郭が不明瞭であると判断した場合、モード設定部６３が人物強調モードを設定する構成も採用できる。この場合、人物の輪郭が不明瞭な場合に自動で人物強調モードが設定されて拡大画像７５Ｃが表示されるので、人物の輪郭が明瞭な拡大画像７５Ｃを確認することができる。
【０１３４】
・笑顔か普通顔かの２段階のアイコンで示したが、笑顔を３段階以上の複数段階で評価し、笑顔の度合を示す３種類以上のアイコンを表示してもよい。例えば、笑顔は微笑アイコンと大笑いアイコンの２つを設けてもよい。
【０１３５】
・第１実施形態では、顔アイコンと笑顔アイコンの両方を採用したが、笑顔アイコンのみ採用したり、顔アイコンのみを採用したりしてもよい。笑顔アイコンのみ採用の場合は、人物が笑顔であることを本画像を開かずに確認でき、顔アイコンのみを採用の場合は、人物が笑顔でないことを本画像を開かずに確認できる。
【０１３６】
・第２実施形態において、３つのモードに応じて拡大画像を表示する構成ではなく、３つの拡大画像７５Ａ，７５Ｂ，７５Ｃのうちいずれか、又は切り替えで表示してもよい。また、モードに応じて拡大画像を表示する場合、モードは３つに限定されず、２つ又は４つ以上設定してもよい。
【０１３７】
・人アイコンのみ設け、人数を表示しない構成も採用できる。この構成によれば、サムネイル画像中の人物の有無を、本画像を開かなくても確認できる。
・動画の一覧表示画面におけるサムネイル画像に適用してもよい。
【０１３８】
・アイコンを表示させるサムネイル画像に対応する位置は、サムネイル画像の下側に限定されない。サムネイル画像の上側又は横側でもよい。また、サムネイル画像中であってもよく、この場合、アイコンが人物の顔と重畳しない位置であれば足りる。
【０１３９】
・第１実施形態において、被写体である人物の大きさに拘わらず、人物の笑顔が入っている場合には常に笑顔アイコン４２を表示させ、人物の笑顔でない顔が入っている場合には常に顔アイコン４１を表示させる構成でもよい。さらに、第２実施形態において、被写体である人物の大きさに拘わらず、人物の顔が入っている場合には人物の大きさに拘わらず常に人アイコン７１を表示させてもよい。
【０１４０】
・上記第１及び第２実施形態において、人物、顔、笑顔の検出は、サムネイル画像を用いて行うこととしたが、サムネイル画像からの検出ができない場合は、本画像から検出するように切り替えるようにしてもよい。例えば、判定部５５は、顔検出部５２が顔を検出できず、その結果、人物の検出ができなかったと判定した場合は、本画像からの人物の検出に切り替える。また、判定部５５は、顔サイズ判定部５３が、検出された顔の顔サイズが所定値以下であって実質的に顔の検出ができない（顔と認識しにくい）と判定した場合は、本画像からの顔の検出に切り替える。さらに、判定部５５は、笑顔検出部５４が笑顔を検出できないと判定した場合は、本画像からの笑顔の検出に切り替える。この場合、本画像からの検出へ切り替えるタイミングは、上記の人物検出時、顔検出時、笑顔検出時の３つのタイミングのうち任意の少なくとも１つを採用できる。例えば上記３つのうち１つのみを採用して切り替えを行ってもよいし、３つ全てを採用して３つの検出段階のうち非検出になった段階で切り替えを行ってもよい。また、人物の検出は、顔検出部５２による顔の検出によって行うことに限定されず、画像から人物の特徴抽出を行って人物の検出を行ってもよい。この場合、顔の検出は顔検出部５２が行えばよい。
【０１４１】
・上記第１及び第２実施形態において、人物（顔）の検出と笑顔の検出は、電子カメラ１３による撮影時に顔検出（顔認識）を用いて撮影した場合、それを画像に画像関連情報ＲＤ（付帯情報）の一部として格納し、サムネイル画像に表示し、それ以外は実画像からの解析とし、２回目以降は画像に画像関連情報ＲＤの一部として格納する構成としてもよい。
【０１４２】
・前記各実施形態における所定値Ａ，Ｂ（％）は、一例であり、他の値を採用できる。
・前記各実施形態において、顔アイコン４１のみ、又は笑顔アイコン４２のみを表示する構成でもよい。また、第２実施形態において、人アイコンと笑顔アイコンの組合せ、人アイコンと顔アイコン４１の組合せで表示する構成も採用できる。これらの場合、各アイコンに人数を表示すれば、人アイコン７１の人数から笑顔アイコン４２の人数を差し引けば、笑顔でない顔の有無及び笑顔でない顔が有りの場合の人数を知ることはできる。同様に、人アイコン７１の人数と顔アイコン４１の人数とから、笑顔の有無及び笑顔有りの場合の笑顔の人数を知ることはできる。
【０１４３】
・電子カメラ１３による撮影時に、風景モードや無限大での撮影時に人物がいる場合、撮影直後に表示部２８に確認のため表示される確認画像（撮影画像）に人アイコンを表示してもよい。また、このような確認画像にと顔アイコン４１と笑顔アイコン４２とを表示してもよい。これらの場合、人数も表示してもよい。
【０１４４】
・風景モードで撮影中に、スルー画内に人物が小さく写り込んでいて、顔の表情が判別しにくい場合、その人物が笑顔になったときにシャッターチャンスを促す目的で、笑顔アイコンを表示、点滅させてもよい。
【０１４５】
・電子カメラ１３による撮影時のスルー画とともに笑顔アイコンと笑顔の人数を表示してもよい。
・特定の人物（登録されている人物）でない人（他人）が写っているときに、その旨を示すアイコンと人数を表示してもよい。この場合、他人については、笑顔、目つぶりなどの検出はしない構成とすることが好ましい。
【０１４６】
・顔の旨の表示、又は笑顔の旨の表示は、アイコンに限定されない。例えば文字表示でもよい。
・第１実施形態において、拡大画像４４，４５をポップアップ表示させてもよい。また、第２実施形態において拡大画像７５をサムネイル表示エリアに表示させてもよい。
【０１４７】
・表示手段に表示させる画像はサムネイル画像に限定されない。例えば本画像であってもよい。本画像を表示させる場合でも、画像を拡大するなどその画像の詳細を表示させなくても、顔がある旨と笑顔がある旨のうち少なくとも一方のアイコンによって、人物の詳細情報を簡単に確認できる。例えば携帯機器で画面が小さいため本画像の詳細が視認しにくい場合、画面が大きな電子機器でも画面の一部の領域に視認しにくいサイズで本画像が表示される場合、画面に複数の本画像を一度に表示するため１つひとつの本画像が視認しにくいサイズである場合などにおいて、人物の詳細情報を簡単に確認できる。
【０１４８】
・電子カメラやパーソナルコンピューター以外の電子機器に本発明の画像表示処理装置を適用してもよい。画像の表示が可能な画面を有する電子機器であればよく、例えばデジタルフォトフレーム、ビデオカメラ、携帯電話などにも適用できる。
【０１４９】
前記実施形態及び変形例から把握される技術的思想を以下に記載する。
（イ）前記判定手段は、前記サムネイル画像中の人物の笑顔を検出する笑顔検出手段を備え、前記表示制御手段は、前記笑顔検出手段が笑顔を検出すると、前記笑顔がある旨を表示することを特徴とする請求項２に記載の画像表示処理装置。
【０１５０】
（ロ）前記人物指定操作は前記表示手段の画面における前記操作手段の操作位置を示すポインタを前記サムネイル画像中の人物に乗せたポインタオーバー操作であり、前記拡大表示手段は、前記サムネイル画像中における人物がポインタオーバー操作されると、当該ポインタオーバー操作された人物の顔を拡大表示することを特徴とする請求項６に記載の画像表示処理装置。
【符号の説明】
【０１５１】
１１…画像表示処理システム、１２…ＰＣ（パーソナルコンピュータ）、１３…電子カメラ、１５…本体、１６…表示手段の一例としてのモニタ、１８…マウス、１９…入力装置、２０，２７…画像表示処理装置、２２…画像取得手段及び撮像手段を構成する撮像レンズ部、２１…画像選択画面、２６…操作部、２８…表示手段の一例としての表示部、３１…コンピュータ、３２…画像取得手段を構成するとともにメモリとしての記憶部、３３…制御部、３４…受付部、３５…表示処理部、３６…画像表示処理部、３７…通信部、４１…顔アイコン（普通顔アイコン）、４２…笑顔アイコン、４３…ポインタ、４７…画像ファイル記憶部、４８…アイコン画像データ記憶部、４９…顔参照データ、５１…画像取得手段を構成する画像表示処理部、５２…判定手段を構成するとともに顔検出手段の一例である顔検出部、５３…顔サイズ判定手段としての顔サイズ判定部、５４…判定手段を構成するとともに笑顔検出手段の一例である笑顔検出部、５５…判定手段を構成する判定部、５６…計数手段としての人数取得部、５７…表示制御手段を構成するアイコン表示処理部、５８…アイコン操作判定部、５９…ポインタオーバー操作検出部、６０…顔抽出部、６１…拡大表示手段を構成する拡大画像生成部、６２…拡大表示手段を構成する拡大画像表示処理部、６３…モード設定部、６４…モード判定部、７１…人アイコン、７５，７５Ａ，７５Ｂ，７５Ｃ…拡大画像、ＴＩ…サムネイル画像、ＩＦ…画像ファイル、ＲＤ…画像関連情報、ＴＩＤ…サムネイル画像データ、ＭＩＤ…本画像データ、ＴＡ…サムネイル表示エリア、ＰＡ…ポップアップ表示エリア、Ａ，Ｂ…設定値としての所定値。
【図１】
2011211621.tif 000003
【図２】
2011211621.tif 000004
【図３】
2011211621.tif 000005
【図４】
2011211621.tif 000006
【図５】
2011211621.tif 000007
【図６】
2011211621.tif 000008
【図７】
2011211621.tif 000009
【図８】
2011211621.tif 000010
【図９】
2011211621.tif 000011
【図１０】
2011211621.tif 000012
【図１１】
2011211621.tif 000013
【図１２】
2011211621.tif 000014
【図１３】
2011211621.tif 000015